(57)【要約】      （修正有）【課題】ＨＡＲＱサブバースト領域が複数のサブチャネルにまたがって配置されるのを抑制可能な技術を提供する。【解決手段】第１の配置部は、送信部から通信端末に送信される下りサブフレーム内に、ＨＡＲＱバースト領域を配置する。第２の配置部は、ＨＡＲＱバースト領域内に、サブバースト用の複数のスロットを順に確保することによって、通信端末に割り当てられるＨＡＲＱ（Hybrid Automatic Repeat reQuest）サブバースト領域５８を配置する。第２の配置部は、ＨＡＲＱバースト領域内に確保する、少なくとも最初のスロット５９ａとその次のスロット５９ｂについては、シンボル方向に沿って確保していく。【選択図】図１０
2010130186.tif 000002
【特許請求の範囲】
【請求項１】
ＷｉＭＡＸ（Worldwide Interoperability for Microwave Access）での基地局であって、
通信端末に信号を送信する送信部と、
通信端末からの信号を受信する受信部と、
前記送信部から前記通信端末に送信される下りサブフレーム内に、サブバースト用の所定領域を配置する第１の配置部と、
前記所定領域内に、少なくとも１つの通信端末に割り当てられるＨＡＲＱ（Hybrid Automatic Repeat reQuest）用の少なくとも１つのサブバースト領域を配置する第２の配置部と
を備え、
前記第２の配置部は、
前記所定領域内にサブバースト用の複数のスロットを順に確保することによってサブバースト領域を前記所定領域内に配置し、
前記所定領域内に確保する、少なくとも最初とその次のスロットについては、シンボル方向に沿って確保していく、基地局。
【請求項２】
請求項１に記載の基地局であって、
前記送信部および前記受信部は、アダプティブアレイを共用し、
前記受信部で受信されたサウンディング信号に基づいて、前記アダプティブアレイのウェイトを算出するウェイト算出部と、
前記受信部で受信されたパイロット信号の位相回転量を推定する推定部と
をさらに備え、
前記送信部は、前記ウェイトに基づいて前記アダプティブアレイから信号を送信し、
前記第２の配置部は、
サブバースト領域を下りサブフレーム内に配置する場合には、
最初に確保したスロットからシンボル方向に沿って確保した全スロットに含まれる全シンボルでの前記位相回転量が、所定のしきい値以下でかつ当該しきい値に最も近づくまで、シンボル方向に沿って１列目のスロットを確保していく、基地局。
【請求項３】
請求項２に記載の基地局であって、
前記第２の配置部は、
２列目以降のスロットを確保する場合には、
１列目の全スロットに含まれる全シンボルと同一のシンボル内のスロットを順に確保していく、基地局。
【請求項４】
請求項１に記載の基地局であって、
前記受信部で受信されたパイロット信号に基づいて、前記所定領域内のサブキャリアでの通信品質を推定する推定部と、
前記推定部で推定された通信品質が所定の基準を満足するか否かを判定する判定部と
をさらに備え、
前記第２の配置部は、前記少なくとも１つのサブバースト領域のうち、所定のデータ量を超える第１のサブバーストが含められる第１のサブバースト領域が、前記判定部において通信品質が所定の基準を満足すると判定されたサブキャリアたる良好サブキャリアを含むように、当該第１のサブバースト領域を前記所定領域内に配置する、基地局。
【請求項５】
請求項４に記載の基地局であって、
前記第２の配置部は、前記少なくとも１つのサブバースト領域のうち、所定のデータ量以下の第２のサブバーストが含められる第２のサブバースト領域を、前記第１のサブバースト領域に隣接させて前記所定領域内に配置する、基地局。
【請求項６】
請求項４に記載の基地局であって、
前記第２の配置部は、前記少なくとも１つのサブバースト領域のうち、所定のデータ量以下の第２のサブバーストが含められる第２のサブバースト領域が、前記良好サブキャリアを含むように前記所定領域内に配置する、基地局。
【請求項７】
ＷｉＭＡＸ（Worldwide Interoperability for Microwave Access）での基地局でのサブバースト領域の配置方法であって、
（ａ）通信端末に送信される下りサブフレーム内に、サブバースト用の所定領域が配置される工程と、
（ｂ）前記所定領域内に、少なくとも１つの通信端末に割り当てられるＨＡＲＱ（Hybrid Automatic Repeat reQuest）用の少なくとも１つのサブバースト領域が配置される工程と
を備え、
前記工程（ｂ）では、
前記所定領域内にサブバースト用の複数のスロットが順に確保されることによってサブバースト領域が前記所定領域内に配置され、
前記所定領域内に確保される、少なくとも最初とその次のスロットについては、シンボル方向に沿って確保されていく、基地局でのサブバースト領域の配置方法。
【請求項８】
請求項７に記載の基地局でのサブバースト領域の配置方法であって、
（ｃ）通信端末からのサウンディング信号をアダプティブアレイで受信する工程と、
（ｄ）前記工程（ｃ）で受信された前記サウンディング信号に基づいて前記アダプティブアレイのウェイトを算出する工程と、
（ｅ）前記工程（ｄ）で算出された前記ウェイトに基づいて前記アダプティブアレイから通信端末に信号を送信する工程と、
（ｆ）通信端末からのパイロット信号を前記アダプティブアレイで受信する工程と、
（ｇ）前記工程（ｆ）で受信されたパイロット信号の位相回転量を推定する工程と
をさらに備え、
前記工程（ｂ）では、
最初に確保されたスロットからシンボル方向に沿って確保された全スロットに含まれる全シンボルでの前記位相回転量が、所定のしきい値以下でかつ当該しきい値に最も近づくまで、シンボル方向に沿って１列目のスロットが確保されていく、基地局でのサブバースト領域の配置方法。
【請求項９】
請求項７に記載の基地局でのサブバースト領域の配置方法であって、
（ｃ）通信端末からのパイロット信号を受信する工程と、
（ｄ）前記工程（ｃ）で受信された前記パイロット信号に基づいて、前記所定領域内のサブキャリアでの通信品質が推定される工程と、
（ｅ）前記工程（ｄ）で推定された通信品質が所定の基準を満足するか否かを判定する工程と
をさらに備え、
前記工程（ｂ）では、前記少なくとも１つのサブバースト領域のうち、所定のデータ量を超えるサブバーストが含められる第１のサブバースト領域が、前記工程（ｅ）において通信品質が所定の基準を満足すると判定されたサブキャリアたる良好サブキャリアを含むように、当該第１のサブバースト領域が前記所定領域内に配置される、基地局でのサブバースト領域の配置方法。
【発明の詳細な説明】
【技術分野】
【０００１】
本発明は、ＷｉＭＡＸ（Worldwide Interoperability for Microwave Access）での基地局、および、その基地局でのサブバースト領域の配置方法に関するものである。
【背景技術】
【０００２】
従来から無線通信に関して様々な技術が提案されている。無線通信技術には、自動再送要求（ＡＲＱ：Automatic Repeat reQuest）方法を用いるものもある。このＡＲＱ方式では、端末が、基地局からの下りフレームを受信し、そのフレーム中のデータに誤りを見つけたときに、誤ったデータを再送してもらうように基地局側へ要求する。
【０００３】
一方、無線通信技術には、ＷｉＭＡＸと呼ばれる、ＯＦＤＭＡ方式で通信を行う無線通信技術もある。ＷｉＭＡＸでは、ＡＲＱと、誤り訂正符号とを組み合わせたハイブリッド自動再送要求（ＨＡＲＱ：Hybrid Automatic Repeat reQuest）方式が規定されている。例えば、特許文献１に示すように、ＨＡＲＱに用いられるデータであるサブバーストは、基地局から通信端末に送信される下りサブフレーム内のサブバースト領域に含まれる。
【０００４】
【特許文献１】特表２００８−５２７８３９号公報
【発明の開示】
【発明が解決しようとする課題】
【０００５】
さて、１つのサブチャネルと少なくとも１つのシンボルとで構成される少なくとも１つのスロットが、下りサブフレームに確保されることにより、サブバースト領域が、下りサブフレームに配置される。従来、ＨＡＲＱサブバースト領域のスロットを確保する手順では、複数のスロットが、サブチャネル番号の増加する方向に沿って確保されることにより行われる。そのため、ＨＡＲＱサブバースト領域は、下りサブフレーム内の多くのサブチャネルにまたがって配置される。
【０００６】
一方、通信品質を悪化させる周波数選択性フェージングの大きさは、一般的にサブチャネルごとに異なる。そのため、１つのＨＡＲＱサブバースト領域が、多くのサブチャネルにまたがって配置されると、１つのＨＡＲＱサブバースト領域における周波数選択性フェージングの大きさが多様となる。その結果、周波数選択性フェージングを補正する処理、例えば、ゲインの調整処理が複雑になるという問題あった。
【０００７】
本発明は、上記のような問題点を鑑みてなされたものであり、ＨＡＲＱサブバースト領域が複数のサブチャネルにまたがって配置されるのを抑制可能な技術を提供することを目的とする。
【課題を解決するための手段】
【０００８】
上記課題を解決するため、本発明に係る基地局は、ＷｉＭＡＸ（Worldwide Interoperability for Microwave Access）での基地局であって、通信端末に信号を送信する送信部と、通信端末からの信号を受信する受信部と、前記送信部から前記通信端末に送信される下りサブフレーム内に、サブバースト用の所定領域を配置する第１の配置部と、前記所定領域内に、少なくとも１つの通信端末に割り当てられるＨＡＲＱ（Hybrid Automatic Repeat reQuest）用の少なくとも１つのサブバースト領域を配置する第２の配置部とを備え、前記第２の配置部は、前記所定領域内にサブバースト用の複数のスロットを順に確保することによってサブバースト領域を前記所定領域内に配置し、前記所定領域内に確保する、少なくとも最初とその次のスロットについては、シンボル方向に沿って確保していく。
【０００９】
本発明に係る基地局の一態様によれば、前記送信部および前記受信部は、アダプティブアレイを共用し、前記受信部で受信されたサウンディング信号に基づいて、前記アダプティブアレイのウェイトを算出するウェイト算出部と、前記受信部で受信されたパイロット信号の位相回転量を推定する推定部とをさらに備え、前記送信部は、前記ウェイトに基づいて前記アダプティブアレイから信号を送信し、前記第２の配置部は、サブバースト領域を下りサブフレーム内に配置する場合には、最初に確保したスロットからシンボル方向に沿って確保した全スロットに含まれる全シンボルでの前記位相回転量が、所定のしきい値以下でかつ当該しきい値に最も近づくまで、シンボル方向に沿って１列目のスロットを確保していく。
【００１０】
また、本発明に係る基地局の一態様によれば、前記第２の配置部は、２列目以降のスロットを確保する場合には、１列目の全スロットに含まれる全シンボルと同一のシンボル内のスロットを順に確保していく。
【００１１】
また、本発明に係る基地局の一態様によれば、前記受信部で受信されたパイロット信号に基づいて、前記所定領域内のサブキャリアでの通信品質を推定する推定部と、前記推定部で推定された通信品質が所定の基準を満足するか否かを判定する判定部とをさらに備え、前記第２の配置部は、前記少なくとも１つのサブバースト領域のうち、所定のデータ量を超える第１のサブバーストが含められる第１のサブバースト領域が、前記判定部において通信品質が所定の基準を満足すると判定されたサブキャリアたる良好サブキャリアを含むように、当該第１のサブバースト領域を前記所定領域内に配置する。
【００１２】
また、本発明に係る基地局の一態様によれば、前記第２の配置部は、前記少なくとも１つのサブバースト領域のうち、所定のデータ量以下の第２のサブバーストが含められる第２のサブバースト領域を、前記第１のサブバースト領域に隣接させて前記所定領域内に配置する。
【００１３】
また、本発明に係る基地局の一態様によれば、前記第２の配置部は、前記少なくとも１つのサブバースト領域のうち、所定のデータ量以下の第２のサブバーストが含められる第２のサブバースト領域が、前記良好サブキャリアを含むように前記所定領域内に配置する。
【００１４】
また、本発明に係る基地局でのサブバースト領域の配置方法は、（ａ）通信端末に送信される下りサブフレーム内に、サブバースト用の所定領域が配置される工程と、（ｂ）前記所定領域内に、少なくとも１つの通信端末に割り当てられるＨＡＲＱ（Hybrid Automatic Repeat reQuest）用の少なくとも１つのサブバースト領域が配置される工程とを備え、前記工程（ｂ）では、前記所定領域内にサブバースト用の複数のスロットが順に確保されることによってサブバースト領域が前記所定領域内に配置され、前記所定領域内に確保される、少なくとも最初とその次のスロットについては、シンボル方向に沿って確保されていく。
【００１５】
また、本発明に係る基地局でのサブバースト領域の配置方法は、（ｃ）通信端末からのサウンディング信号をアダプティブアレイで受信する工程と、（ｄ）前記工程（ｃ）で受信された前記サウンディング信号に基づいて前記アダプティブアレイのウェイトを算出する工程と、（ｅ）前記工程（ｄ）で算出された前記ウェイトに基づいて前記アダプティブアレイから通信端末に信号を送信する工程と、（ｆ）通信端末からのパイロット信号を前記アダプティブアレイで受信する工程と、（ｇ）前記工程（ｆ）で受信されたパイロット信号の位相回転量を推定する工程とをさらに備え、前記工程（ｂ）では、最初に確保されたスロットからシンボル方向に沿って確保された全スロットに含まれる全シンボルでの前記位相回転量が、所定のしきい値以下でかつ当該しきい値に最も近づくまで、シンボル方向に沿って１列目のスロットが確保されていく。
【００１６】
また、本発明に係る基地局でのサブバースト領域の配置方法は、（ｃ）通信端末からのパイロット信号を受信する工程と、（ｄ）前記工程（ｃ）で受信された前記パイロット信号に基づいて、前記所定領域内のサブキャリアでの通信品質が推定される工程と、（ｅ）前記工程（ｄ）で推定された通信品質が所定の基準を満足するか否かを判定する工程とをさらに備え、前記工程（ｂ）では、前記少なくとも１つのサブバースト領域のうち、所定のデータ量を超えるサブバーストが含められる第１のサブバースト領域が、前記工程（ｅ）において通信品質が所定の基準を満足すると判定されたサブキャリアたる良好サブキャリアを含むように、当該第１のサブバースト領域が前記所定領域内に配置される。
【発明の効果】
【００１７】
本発明によれば、所定領域内にＨＡＲＱ用のサブバースト領域を配置する際には、少なくとも最初とその次のスロットについては、シンボル方向に沿って確保していく。したがって、ＨＡＲＱ用のサブバースト領域が、多くのサブチャネルにまたがって配置されるのを抑制することができる。その結果、サブバースト領域内で周波数選択性フェージングの大きさが多様となるのを防ぐことができるため、それを補正する処理を簡素化することができる。
【００１８】
また、本発明の一態様によれば、最初に確保したスロットからシンボル方向に沿ってそれまで確保した全スロットに含まれる全シンボルでの位相回転量が、所定のしきい値以下でかつ当該しきい値に最も近くまで、シンボル方向に沿って１列目のスロットを確保していく。そのため、通信端末に向けて、サブバーストを確実に送信することができる。
【００１９】
また、本発明の一態様によれば、所定のデータ量を超える第１のサブバーストが含められる第１のサブバースト領域を、良好サブキャリアに配置する。これにより、データ量の大きい第１のサブバーストの誤りデータ量を小さくすることができる。
【００２０】
また、本発明の一態様によれば、所定のデータ量以下の第２のサブバーストが含められる第２のサブバースト領域を、良好サブキャリアを含むように配置させた第１のサブバースト領域に隣接させて所定領域内に配置する。これにより、第２のサブバーストの誤りデータ量を小さくすることができる。
【００２１】
また、本発明の一態様によれば、所定のデータ量以下の第２のサブバーストが含められる第２のサブバースト領域を、良好サブキャリアを含むように所定領域内に配置する。これにより、第２のサブバーストの誤りデータ量を小さくすることができる。
【発明を実施するための最良の形態】
【００２２】
図１は、本発明の実施の形態に係る無線通信システムの構成を示す図である。無線通信システムは、基地局１と複数の通信端末２とを備える。なお、図１では簡単のため、複数の通信端末２のうちの１つの端末を示している。本実施の形態に係る基地局１は、ＩＥＥＥ８０２．１６ｅに規定されているモバイルＷｉＭＡＸに準拠した基地局１である。
【００２３】
図に示すように、基地局１は、アダプティブアレイ３と、送信部４と、受信部５と、制御部６とを備える。送信部４および受信部５は、複数のアンテナ素子３ａからなるアダプティブアレイ３を共有している。つまり、アダプティブアレイ３は、通信端末２に無線信号を送信する送信アンテナ、および、通信端末２からの無線信号を受信する受信アンテナとして機能する。受信部５は、アダプティブアレイ３の複数のアンテナ素子３ａで受信された信号のそれぞれに対して、増幅処理やダウンコンバート処理を行い、それら処理が行われた信号を制御部６に出力する。
【００２４】
制御部６は、後述する動作の結果、送信用のウェイト、および、下りサブフレームを送信部４に出力する。送信部４は、制御部６からの送信用のウェイトに基づいて、アダプティブアレイ３から制御部６からの下りサブフレームを送信する。この動作については、後述する。
【００２５】
図２は、本実施の形態に係る基地局１が備える制御部６の構成を示す図であり、図３は、基地局１が備える制御部６の動作を示すフローチャートである。図２に示すように、基地局１は、制御部６において、ウェイト算出部１０と、復調部１１と、ＨＡＲＱサブバースト送信判定部１２と、第１の配置部１３と、パイロット信号ジェネレータ１４と、推定部１５と、判定部１６と、第２の配置部１７と、第３の配置部１８と、ＭＡＰジェネレータ１９と、フレーム生成部２０とを備える。
【００２６】
ウェイト算出部１０は、受信部５で受信されたサウンディング信号に基づいて、アダプティブアレイ３の受信用のウェイトおよび送信用のウェイトを、通信端末２との通信に用いられるサブキャリア（搬送波）それぞれについてアンテナ素子３ａごとに算出する。サウンディング信号は、ＷｉＭＡＸで使用される上りサブフレームに含まれる。
【００２７】
ここで、ＷｉＭＡＸで使用される本実施の形態に係るフレームについて、図４を用いて説明する。本実施の形態に係るフレーム４１は、基地局１から通信端末２に送信される下りサブフレーム５１と、通信端末２から基地局１に送信される上りサブフレーム７１とから構成される。下りサブフレーム５１および上りサブフレーム７１それぞれは、ＯＦＤＭシンボル（単位時間）で与えられる時間軸と、サブチャネルで与えられる周波数軸の２次元で表される。サブチャネルは、複数のサブキャリアから構成される。以下、シンボルで与えられる時間軸方向をシンボル方向、サブチャネルで与えられる周波数軸方向をサブチャネル方向と記すこともある。
【００２８】
上りサブフレーム７１には、レンジング領域７２、ＣＱＩＣＨ領域７３、ＡＣＫ領域７４、サウンディングゾーン７５、上りバースト領域７６が配置される。レンジング領域７２には、帯域要求やレンジングを行うための信号が含められる。ＣＱＩＣＨ領域７３には、チャネル品質情報が含められる。ＡＣＫ領域７４には、通信端末２が基地局１に対してＨＡＲＱの送信を要求しないことを示すＡＣＫ（ACKnowledgement）、あるいは、通信端末２が基地局１に対してＨＡＲＱの送信を要求することを示すＮＡＣＫ（Negative ACKnowledgement）が含められる。サウンディングゾーン７５には、基地局１のウェイト算出部１０がアダプティブアレイ３のウェイトを算出する際に使用するサウンディング信号が含められる。複数の上りバースト領域７６のそれぞれには、下りサブフレーム５１に含められるＵＬ（UpLink）−ＭＡＰ領域５５に含められるＵＬ−ＭＡＰメッセージによって割り当てられた領域であり、１以上の通信端末２から基地局１に送信されるデータ信号が含められる。
【００２９】
ＵＬ−ＭＡＰ領域５５に含められるＵＬ−ＭＡＰメッセージは、ＵＬ−ＭＡＰ  ＩＥ（Information Element、ＩＥについて以下同じ）を有する。ＵＬ−ＭＡＰ  ＩＥは、上りバースト領域７６を上りサブフレーム７１内に配置するための情報であり、具体的には、バースト位置（シンボル位置とサブチャネル位置）および割り当てリソース（シンボル数とサブチャネル数）を特定する情報である。各通信端末２は、ＵＬ−ＭＡＰ領域５５内の情報を解析することによって、基地局１宛のデータをどの時間（シンボル）でどのサブチャネルを使用して送信すべきかを知ることができる。なお、下りサブフレーム５１に含まれる他の領域については、後述する。
【００３０】
ウェイト算出部１０は、受信部５で受信されたサウンディング信号に基づいて算出した受信用のウェイトおよび送信用のウェイトのうち、受信用のウェイトを復調部１１に出力し、送信用のウェイトを送信部４に出力する。その後の送信部４の動作については後述する。
【００３１】
図２に係る復調部１１は、受信部５から出力されるアンテナ素子３ａの数と同数のベースバンド信号のそれぞれに対してＦＦＴ（Fast Fourier Transform）処理を行って、当該複数のベースバンド信号のそれぞれについて、それに含まれる複数のサブキャリアを分離して取得する。復調部１１は、複数のベースバンド信号に含まれていた同一のサブキャリアごとに、当該同一のサブキャリアのそれぞれに対して、ウェイト算出部１０で算出された、対応する受信用のウェイトを設定して、各サブキャリアの位相および振幅を制御する。そして、ステップＳ１において、復調部１１は、複数のベースバンド信号に含まれていた同一のサブキャリアごとに、ウェイト設定後の当該同一のサブキャリアを合成する。これにより、アダプティブアレイ３のビームを希望波に向けることができる。
【００３２】
復調部１１での復調の結果、受信部５で受信された信号の、図４を用いて説明されたＡＣＫ領域７４に含められたＡＣＫまたはＮＡＣＫが取得される。ＨＡＲＱサブバースト送信判定部１２は、復調部１１での復調処理によりＡＣＫが取得された場合には、通信端末２にＨＡＲＱサブバーストを送信する動作を開始せずに、後述するステップＳ１２に進む（ステップＳ２）。一方、ＨＡＲＱサブバースト送信判定部１２は、ウェイト算出部１０においてＮＡＣＫが取得された場合には、ＨＡＲＱサブバーストを送信する動作を開始するという判定を行う。
【００３３】
ＨＡＲＱサブバースト送信判定部１２が、ＨＡＲＱサブバースト送信動作を開始すると判定した場合には、第１の配置部１３は、送信部４から通信端末２に送信される下りサブフレーム５１内に、ＨＡＲＱサブバースト用の所定領域であるＨＡＲＱバースト領域５７を配置する（ステップＳ３）。
【００３４】
ここで、再び図４を用いて、本実施の形態に係るフレーム４１を構成する下りサブフレーム５１について説明する。基地局１から通信端末２に送信される下りサブフレーム５１には、上述のＵＬ−ＭＡＰ領域５５の他、プリアンブル領域５２、ＦＣＨ領域５３、ＤＬ（DownLink）−ＭＡＰ領域５４、下りバースト領域５６、および、第１の配置部１３によって配置されるＨＡＲＱバースト領域５７が配置される。プリアンブル領域５２には、通信端末２が基地局１と同期を取るために必要な信号が含められる。ＦＣＨ領域５３には、ＤＬ−ＭＡＰ領域５４の長さと、そこで使用されている誤り訂正符号の方式および繰返し符号の繰り返し数を示すＤＬＦＰ（DownLink Frame Prefix）などが含められる。複数の下りバースト領域５６のそれぞれは、ＤＬ−ＭＡＰ領域５４に含められるＤＬ−ＭＡＰメッセージによって割り当てられた領域である。複数の下りバースト領域５６それぞれには、１の通信端末に送信されるデータ信号が含められる。
【００３５】
ＤＬ−ＭＡＰ領域５４に含められるＤＬ−ＭＡＰメッセージは、ＤＬ−ＭＡＰ  ＩＥ、ＨＡＲＱ  ＤＬ−ＭＡＰ  ＩＥおよびＨＡＱＲ  サブバースト  ＩＥを有する。ＤＬ−ＭＡＰ  ＩＥは、通信装置ごとの下りバースト領域５６を下りサブフレーム５１内に配置するための情報であり、具体的には、バースト位置および割り当てリソースを特定する情報である。ＨＡＲＱ  ＤＬ−ＭＡＰ  ＩＥは、ＨＡＲＱバースト領域５７を下りサブフレーム５１内に配置するための情報であり、具体的には、バースト位置および割り当てリソースを特定する情報である。
【００３６】
ＨＡＲＱ  サブバースト  ＩＥは、ＨＡＲＱサブバースト領域５８をＨＡＲＱバースト領域５７に配置するための情報である。ＨＡＲＱサブバースト領域５８は、複数のスロット５９を含む。このスロット５９とは、周波数軸でサブキャリアを集めた１つのサブチャネルを、時間軸上で１つのシンボルとからなる単位領域、または、周波数軸でサブキャリアを集めた１つのサブチャネルを、時間軸上で複数のシンボルとからなる単位領域である。１つのＨＡＲＱサブバースト領域５８の大きさは、自身に含まれるＨＡＲＱサブバーストのデータ量に応じて決定される。そのため、１つのＨＡＲＱサブバースト領域５８を構成するスロット５９の数は、そのＨＡＲＱサブバースト領域５８に含まれるＨＡＲＱサブバーストのデータ量に応じて決定される。１つのＨＡＲＱサブバースト領域５８は、１つの通信端末２に割り当てられるため、通信端末２の数だけ、ＨＡＲＱ  サブバースト  ＩＥがＤＬ−ＭＡＰ領域５４に含められる。各通信端末２は、ＤＬ―ＭＡＰ領域内のこれら情報を解析することによって、自装置宛のデータが基地局１からどの時間帯でどのサブチャネルを使用して送信されるかを知ることができる。
【００３７】
以上では、復調部１１、ＨＡＲＱサブバースト送信判定部１２、および、第１の配置部１３の動作について説明した。一方、図２に係る復調部１１での復調の結果、受信部５で受信された信号に含まれるパイロット信号は、パイロット信号ジェネレータ１４で生成された既知パイロット信号と比較される。推定部１５は、この比較結果に基づいて、受信部５で受信された信号に含まれるパイロット信号の周波数選択性フェージングを推定する。図５は、本実施の形態に係る推定部１５が、受信部５で受信された信号に含まれるパイロット信号８１の周波数選択性フェージングを推定する動作を示す図である。図５（ａ）は、受信部で受信された信号を示す図であり、１つの丸は、１つのサブキャリアを示す。図５（ａ）に示すように、一般的に、パイロット信号８１は、複数のサブキャリアごと、例えば、４つのサブキャリアごとに１つの割合で、受信部５で受信された信号に含まれる。図５（ａ）の例では、パイロット信号８１の間の３つのサブキャリアに、データ８２が含められる。
【００３８】
上述したように、受信部５で受信されたパイロット信号８１は、パイロット信号ジェネレータ１４で生成された既知パイロット信号８３と比較される。図５（ｂ）の例では、既知パイロット信号８３の間の３つのサブキャリアに、ヌルデータ８４が含められる。このように、パイロット信号８１は、複数のサブキャリアごとに１つの割合で受信部５で受信された信号に含まれるので、パイロット信号８１に基づいて推定される周波数選択性フェージングは、複数のサブキャリアごとに１つの割合でしか推定されない。例えば、図５（ｂ）に示したように、４つのサブキャリアごとに１つの割合で含まれるパイロット信号８１によれば、図５（ｃ）に示すように、周波数選択性フェージングも、４つのサブキャリアごとに１つの割合で推定される。
【００３９】
次に、本実施の形態に係る推定部１５は、先に推定された２つのサブキャリアの周波数選択性フェージングに線形補間処理を施すことにより、その２つのサブキャリアの間の周波数選択性フェージングを推定する。例えば、図５（ｃ）に示したように、周波数選択性フェージングＨ1、Ｈ5が先に推定されていた場合には、図５（ｄ）に示すように、その間の周波数選択性フェージングＨ2〜Ｈ4も推定する。
【００４０】
この手法を用いることにより、本実施の形態に係る推定部１５は、第１の配置部１３で配置されたＨＡＲＱバースト領域５７内の全サブキャリアについての通信品質、つまり、周波数選択性フェージングＨnを推定する（ステップＳ４）。ここで、ｎは、自然数であり、推定部１５で推定された周波数選択性フェージングを、サブチャネル方向に、Ｈ1、Ｈ2、Ｈ3、…と記す。図６では、ステップ３において、第１の配置部１３で配置されたＨＡＲＱバースト領域５７内の全サブキャリア８５について、周波数選択性フェージングＨnを推定している様子が、実線で示されている。
【００４１】
判定部１６は、推定部１５で推定された周波数選択性フェージングＨnが、所定の基準を満足するか否かを判定する（ステップＳ５）。本実施の形態では、判定部１６は、推定部１５で推定された周波数選択性フェージングＨnが、所定の値αよりも小さいか否かを、第１の配置部１３で配置されたＨＡＲＱバースト領域５７内の全サブキャリア８５について判定する。判定に用いられる所定の値αは、例えば、基地局１のユーザにより設定される。この判定部１６での判定の結果、所定の値αよりも小さい周波数選択性フェージングＨnに対応するサブキャリア（以下、良好サブキャリアと記すこともある）８６が検出される。図７では、判定部１６での判定の結果、良好サブキャリア８６のみが、実線で示されている。
【００４２】
推定部１５は、受信部５で受信されたパイロット信号８１の位相回転量を推定する（ステップＳ６）。本実施の形態に係る推定部１５は、受信部５で受信されたパイロット信号８１のうち、ステップＳ５で検出された良好サブキャリア８６におけるパイロット信号８１の位相回転量θを推定する。なお、図５で説明したように、一般的に、パイロット信号８１は、複数のサブキャリアごとに１つの割合で、受信部５で受信された信号に含まれる。したがって、良好サブキャリア８６に、必ずしもパイロット信号８１が含まれるとは限らない。そこで、本実施の形態に係る推定部１５は、良好サブキャリア８６にパイロット信号８１が含まれていない場合には、図５と同様に、その良好サブキャリア８６に最も近い２つのサブキャリアそれぞれに含まれるパイロット信号８１の位相回転量を線形補間処理して、当該良好サブキャリア８６の位相回転量θを推定する。
【００４３】
ステップＳ６の後、第２の配置部１７は、ＨＡＲＱサブバースト領域５８のうち、所定のデータ量Ｘを超える第１のＨＡＲＱサブバーストが含められる第１のＨＡＲＱサブバースト領域５８ａを配置する位置を決定する（ステップＳ７）。本実施の形態では、第２の配置部は、第１のＨＡＲＱサブバースト領域５８ａが、判定部１６において周波数選択性フェージングが所定の値αより小さいと判定された良好サブキャリア８６を含むように、第１のＨＡＲＱサブバースト領域５８ａの配置位置を決定する。なお、ＨＡＲＱサブバースト領域５８のうち、所定のデータ量Ｘ以下の第２のＨＡＲＱサブバーストが含められる第２のＨＡＲＱサブバースト領域５８ｂの配置位置については、後述するステップＳ９で決定される。
【００４４】
図８は、後述するステップＳ８により、第２の配置部１７が、ステップＳ５で検出された良好サブキャリア８６に、第１のＨＡＲＱサブバースト領域５８ａを配置したときの図である。この図では、通信端末２の＃１，３，５に、所定のデータ量Ｘを超える第１のＨＡＲＱサブバーストが割り当てられている場合が示されている。
【００４５】
ステップＳ７の後、第２の配置部１７は、ＨＡＲＱサブバーストを受信すべき通信端末２の数に応じて、ＨＡＲＱバースト領域５７内に、少なくとも１つの第１のＨＡＲＱサブバースト領域５８ａを配置し始める（ステップＳ８）。第２の配置部１７は、下りサブフレーム５１内のＨＡＲＱバースト領域５７内にＨＡＲＱサブバースト用の複数のスロット５９を順に確保することによって、ＨＡＲＱサブバースト領域５８をＨＡＲＱバースト領域５７内に配置する。
【００４６】
ここで、本実施の形態における第２の配置部１７によるスロット確保手順について説明する前に、従来のスロット確保手順について、図９を用いて説明する。従来のスロット確保手順では、図９（ａ）〜（ｃ）の順にスロット５９を確保していく。なお、以下、ＨＡＲＱバースト領域５７内に確保されるスロットを区別するため、ＨＡＲＱバースト領域５７内に確保される順番に、１番目のスロット５９ａ，２番目のスロット５９ｂ，…と記すこともある。
【００４７】
図９（ａ），（ｂ）に示すように、従来のスロット確保手順では、最初に確保される１番目のスロット５９ａと、その次に確保される２番目のスロット５９ｂについては、サブチャネル方向に沿って確保していた。２番目のスロット５９ｂと、その次に確保される３番目のスロット５９ｃについても、通常、図９（ｃ）に示すようにサブチャネル方向に沿って確保していた。その結果、１つのＨＡＲＱサブバースト領域５８が、多くのサブチャネルにまたがって配置されるため、１つのＨＡＲＱサブバースト領域５８における周波数選択性フェージングの大きさが多様となり、それを補正処理が複雑になるという問題があった。
【００４８】
その問題を解決する本実施の形態に係る第２の配置部１７のスロット確保手順について、図１０を用いて説明する。なお、第１のＨＡＲＱサブバースト領域５８ａを配置するためのスロット確保手順と、第２のＨＡＲＱサブバースト領域５８ｂを配置するためのスロット確保手順とはほぼ同じである。そのため、第１のＨＡＲＱサブバースト領域５８ａと、第２のＨＡＲＱサブバースト領域５８ｂとを区別しないときには、以下、ＨＡＲＱサブバースト領域５８として、スロット確保手順を説明する。
【００４９】
本実施の形態に係る第２の配置部１７は、図１０（ａ）〜（ｄ）の順にスロット５９を確保していく。図１０（ａ），（ｂ）に示すように、本実施の形態に係る第２の配置部１７は、ＨＡＲＱバースト領域５７内に確保する、少なくとも１番目のスロット５９ａと、２番目のスロット５９ｂについては、シンボル方向に沿って確保していく。これにより、ＨＡＲＱサブバースト領域５８が、複数のサブチャネルにまたがって配置されるのを抑制することができる。なお、本実施の形態に係る第２の配置部１７は、第１のＨＡＲＱサブバースト領域５８ａに含まれる１番目のスロット５９ａが、図７で検出された良好サブキャリア８６を含むように、第１のＨＡＲＱサブバースト領域５８ａをＨＡＲＱバースト領域５７に配置する。
【００５０】
次に、本実施の形態に係る第２の配置部１７が、３番目以降のスロット５９を確保する動作について、図１１を用いて説明する。本実施の形態に係る第２の配置部１７は、最初に確保した１番目のスロット５９ａからシンボル方向に沿って確保した全スロットに含まれる全シンボルでの位相回転量が、所定のしきい値β以下でかつ当該しきい値βに最も近づくまで、シンボル方向に沿って１列目のスロットを確保していく。ここで、１列目のスロットとは、１番目のスロット５９ａからシンボル方向に沿って確保された複数のスロット５９を意味する。
【００５１】
この動作を行うため、第２の配置部１７は、ステップＳ６において、推定部１５で推定された位相回転量θを用いる。一方、図１１（ａ）に示されるように、一般的に、パイロット信号８１は、シンボル方向において、複数のシンボル（以下、Ｎシンボルと記す）ごとに１つの割合でのみ、受信部５で受信された信号に含まれる。図１１（ａ）では、Ｎ＝３の場合が示されている。このように、パイロット信号８１は、Ｎシンボルごとに１つの割合で、受信部５で受信された信号に含まれるため、推定部１５は、Ｎシンボル間でのトータルの位相回転量θを推定する。例えば、図１１（ａ）で示されたＮ＝３の場合には、推定部１５は、図１１（ｂ）で示されるように、３シンボルごとに、３シンボルでのトータルの位相回転量を推定する。以下、推定部１５で推定された位相回転量θを、シンボル方向に、θ1、θ2、θ3、…と記す。
【００５２】
次に、第２の配置部１７は、１シンボル当たりの位相回転量を算出する。本実施の形態では、１シンボル当たりの位相回転量として、そのシンボルを含むＮシンボルに対応する位相回転量をＮで除算した値、つまり、θ1／Ｎ、θ2／Ｎ、θ３／Ｎ、…を算出する。例えば、図１１（ｂ）の例では、図１１（ｃ）に示すように、最初の３シンボルの１シンボル当たりの位相回転量としてθ1／３、その次の３シンボルの１シンボル当たりの位相回転量としてθ2／３…、を算出する。
【００５３】
次に、第２の配置部１７は、スロット５９を確保するごとに、シンボル方向に沿ってそれまで確保した全スロット５９に含まれる全シンボルでのトータルの位相回転量が、所定のしきい値βを超えるかを判定する。
【００５４】
図１０（ｂ）では、最初に確保した１番目のスロット５９ａからシンボル方向に沿って、２番目のスロット５９ｂが確保されていた。その状態に対し、第２の配置部１７は、最初に確保した１番目のスロット５９ａからシンボル方向に沿ってそれまで確保した２つのスロット５９ａ，５９ｂと、当該２つのスロットとシンボル方向に隣接させて確保しようとしている新しい３番目のスロット５９ｃとに含まれるシンボルでのトータルの位相回転量が、所定のしきい値βを超えるかを判定する。例えば、図１１（ｄ）の場合、１つのスロットに含まれるシンボルは、２シンボルである。そのため、３つのスロットに含まれるシンボルは、６シンボルとなる。第２の配置部１７は、上述の６シンボルの位相回転量として、図１１（ｃ）で求めた６シンボル分の１シンボル当たりの位相回転量のトータル、つまり、θ1／３＋θ1／３＋θ1／３＋θ2／３＋θ2／３＋θ2／３＝θ1＋θ2を用いる。
【００５５】
第２の配置部１７は、６シンボルのトータルの位相回転量、つまり、θ1＋θ2が、所定のしきい値βを超えるかを判定する。図１１（ｃ），（ｄ）の場合、θ１＋θ２は、所定のしきい値βを超えない。このような場合に、第２の配置部１７は、２番目のスロット５９ｂとシンボル方向に隣接させて、３番目のスロット５９ｃを確保する。
【００５６】
次に、第２の配置部１７は、最初に確保した１番目のスロット５９ａからシンボル方向に沿ってそれまで確保した３つのスロット５９ａ，５９ｂ，５９ｃと、当該３スロットとシンボル方向に隣接させて確保しようとしている新しい４番目のスロット５９ｄとに含まれるシンボルでのトータルの位相回転量が、所定のしきい値βを超えるかを判定する。例えば、図１１（ｄ）の場合、１つのスロットに含まれるシンボルは、２シンボルであった。そのため、４つのスロットに含まれるシンボルは、８シンボルとなる。第２の配置部１７は、上述の８シンボルの位相回転量として、図１１（ｃ）で求めた８シンボル分の１シンボル当たりの位相回転量のトータル、つまり、θ1／３＋θ1／３＋θ1／３＋θ2／３＋θ2／３＋θ2／３＋θ3／３＋θ3／３＝θ1＋θ2＋２・θ3／３を用いる。
【００５７】
第２の配置部１７は、８シンボルのトータルの位相回転量、つまり、θ1＋θ2＋２・θ3／３が、所定のしきい値βを超えるかを判定する。図１１（ｃ），（ｄ）の場合、θ１＋θ２＋２・θ3／３は、所定のしきい値βを超える。このような場合に、第２の配置部１７は、図１０（ｄ）に示すように、新しい４番目のスロット５９ｄを、３つのスロット５９ａ〜５９ｃに含まれるサブチャネルに隣接するサブチャネルにおいて、上述の６シンボルのシンボルと同一のシンボルに確保していく。本実施の形態では、図に示すように、第２の配置部１７は、４番目のスロット５９ｄを、１番目のスロット５９にサブチャネル方向に隣接させて確保する。
【００５８】
こうして、本実施の形態に係る第２の配置部１７は、最初に確保した１番目のスロット５９ａからシンボル方向に沿って確保した全スロットに含まれる全シンボルでの位相回転量が、所定のしきい値β以下でかつ当該しきい値βに最も近づくまで、シンボル方向に沿って１列目のスロットを確保する。なお、図示しないが、本実施の形態に係る第２の配置部１７は、５番目のスロットを、４番目のスロット５９ｄの右側にシンボル方向で互いに隣接させて確保し、６番目のスロットを、５番目のスロットの右側にシンボル方向で互いに隣接させて確保する。これにより、本実施の形態に係る第２の配置部１７は、必ず、矩形のＨＡＲＱサブバースト領域５８を配置する。
【００５９】
また、本実施の形態に係る第２の配置部１７は、２列目以降のスロットを確保する場合には、１列目の全スロットに含まれる全シンボルと同一のシンボル内のスロットを順に確保していく。これにより、第２の配置部１７は、図８に示したように、第１のＨＡＲＱサブバースト領域５８ａを、ＨＡＲＱバースト領域５７に配置する。
【００６０】
また、本実施の形態に係る第２の配置部１７は、第１のＨＡＲＱサブバースト領域５８ａに含まれる１番目のスロット５９ａが、図７で検出された良好サブキャリア８６を含むように、第１のＨＡＲＱサブバースト領域５８ａをＨＡＲＱバースト領域５７に配置する。そのため、図８に示すように、本実施の形態に係る第２の配置部１７により配置された第１のＨＡＲＱサブバースト領域５８ａに含まれる１列目のスロットは、図７で検出された良好サブキャリア８６を含む。
【００６１】
ステップＳ８の後、第２の配置部１７は、ＨＡＲＱサブバースト領域５８のうち、所定のデータ量以下の第２のＨＡＲＱサブバーストが含められる第２のＨＡＲＱサブバースト領域５８ｂの配置位置を決定する（ステップＳ９）。第２の配置部１７は、ステップＳ８と同様にして、ＨＡＲＱサブバーストを受信すべき通信端末２の数に応じて、ＨＡＲＱバースト領域５７内に、少なくとも１つの第２のＨＡＲＱサブバースト領域５８ｂを配置し始める（ステップＳ１０）。
【００６２】
図１２は、ステップＳ１０において、第２の配置部１７が、図８に係るＨＡＲＱバースト領域５７に、第２のＨＡＲＱサブバースト領域５８ｂを配置したときの図である。ここでは、通信端末２の＃２，４，６に、所定のデータ量Ｘ以下の第２のＨＡＲＱサブバーストが割り当てられている場合が示されている。
【００６３】
図１２では、第２の配置部１７は、通信端末２の＃２に割り当てられる第２のＨＡＲＱサブバースト領域５８ｂを、通信端末２の＃１に割り当てられる第１のＨＡＲＱサブバースト領域５８ａとシンボル方向で隣接させて、ＨＡＲＱバースト領域５７に配置している。このとき、第２の配置部１７は、通信端末２の＃４に割り当てられる第２のＨＡＲＱサブバースト領域５８ｂを、通信端末２の＃１に割り当てられる第１のＨＡＲＱサブバースト領域５８ａに含められる良好サブキャリア８６を含むように、ＨＡＲＱバースト領域５７に配置している。また、第２の配置部１７は、通信端末２の＃６に割り当てられる第２のＨＡＲＱサブバースト領域５８ｂを、通信端末２の＃１に割り当てられる第１のＨＡＲＱサブバースト領域５８ａとサブチャネル方向に隣接させて、ＨＡＲＱバースト領域５７に配置している。
【００６４】
ステップＳ７〜ステップＳ１０により、ＨＡＲＱバースト領域５７に、全ての通信端末２それぞれに対応するＨＡＲＱサブバースト領域５８が配置された後、第３の配置部１８は、下りサブフレーム５１内に下りバースト領域５６を配置し、上りサブフレーム７１内での上りバースト領域７６を決定する（ステップＳ１１）。また、ステップＳ２において、ＨＡＲＱサブバースト送信判定部１２においてＡＣＫが取得されたと判定された場合、第３の配置部１８は、同様に、下りサブフレーム５１内に下りバースト領域５６を配置し、上りサブフレーム７１内での上りバースト領域７６を決定する。
【００６５】
ステップＳ１１の後、ＭＡＰジェネレータ１９は、ステップＳ３による、下りサブフレーム５１内におけるＨＡＲＱバースト領域５７の配置に基づいて、ＨＡＲＱ  ＤＬ−ＭＡＰ  ＩＥを生成する（ステップＳ１２）。なお、ステップＳ３により、第１の配置部１３が配置したＨＡＲＱバースト領域５７を特定する情報は、第１の配置部１３から、ＭＡＰジェネレータ１９に入力されるが、図２では、省略している。
【００６６】
また、ＭＡＰジェネレータ１９は、ステップＳ７〜ステップＳ１０による、ＨＡＲＱバースト領域５７内におけるＨＡＲＱサブバースト領域５８の配置に基づいて、ＨＡＲＱ  サブバースト  ＩＥを生成する。また、ＭＡＰジェネレータ１９は、ステップＳ１１による、下りサブフレーム５１内における下りバースト領域５６の配置に基づいて、ＤＬ−ＭＡＰ  ＩＥを生成する。こうして、ＭＡＰジェネレータ１９は、ＤＬ−ＭＡＰ  ＩＥおよびＨＡＲＱ  ＤＬ−ＭＡＰ  ＩＥおよびＨＡＱＲ  サブバースト  ＩＥからなるＤＬ−ＭＡＰメッセージを生成する。
【００６７】
また、ＭＡＰジェネレータ１９は、ステップＳ１１による、上りサブフレーム７１内における上りバースト領域７６の決定に基づいて、ＵＬ−ＭＡＰ  ＩＥを生成する。こうして、ＭＡＰジェネレータ１９は、ＵＬ−ＭＡＰ  ＩＥからなるＵＬ−ＭＡＰメッセージを生成する。
【００６８】
ステップＳ１２の後、フレーム生成部２０は、ＨＡＲＱサブバースト領域５８にＨＡＲＱサブバーストを含め、下りバースト領域５６ごとに、通信端末２に送信すべきデータを含めることにより、下りサブフレーム５１を生成する（ステップＳ１３）。
【００６９】
以上により、基地局１が備える制御部６での動作が終了する。制御部６での動作の結果、図２に示すように、ウェイト算出部１０で算出された送信用のウェイト、および、フレーム生成部２０で生成された下りサブフレーム５１が、送信部４に出力される。送信部４は、複数のサブキャリア群に含まれる同一のサブキャリアごとに、当該同一のサブキャリアのそれぞれに対して、ウェイト算出部１０で算出された、対応する送信用のウェイトを設定する。そして、送信部４は、複数のサブキャリア群のそれぞれについて、当該サブキャリア群に含まれるウェイト設定後の複数のサブキャリアを合成してベースバンド信号を生成する。そして、送信部４は、生成したベースバンド信号を、アップコンバート処理および増幅処理を行った後、それら補正処理が行われた信号を、複数のアンテナ素子３ａにそれぞれ入力する。
【００７０】
こうして、送信部４は、ウェイト算出部１０で算出された送信用のウェイトに基づいてアダプティブアレイ３から、フレーム生成部２０で生成された下りサブフレーム５１を送信する。これにより、アダプティブアレイ３からは、通信対象の通信端末２に向かって無線信号が送信される。
【００７１】
以上のような基地局１によれば、ＨＡＲＱバースト領域５７内にＨＡＲＱサブバースト領域５８を配置する際には、少なくとも１番目のスロット５９ａと、２番目のスロット５９ｂについては、シンボル方向に沿って確保していく。これにより、ＨＡＲＱサブバースト領域５８が、多くのサブチャネルにまたがって配置されるのを抑制することができる。その結果、周波数選択性フェージングを補正する処理を簡素化することができる。
【００７２】
また、一般的に、通信端末２の移動量が大きくなると、位相回転量θも大きくなる。そうすると、位相回転量θが大きくなる場合には、基地局１が送信しようとするタイミングでの通信端末２の位置には、アダプティブアレイ３の指向性が劣化する。これに対して、本実施の形態に係る基地局１によれば、最初に確保した１番目のスロット５９ａからシンボル方向に沿ってそれまで確保した全スロット５９に含まれる全シンボルでの位相回転量θが、所定のしきい値β以下でかつ当該しきい値βに最も近くなるまで、シンボル方向に沿って１列目のスロット５９を確保していく。そのため、通信端末２に向けてＨＡＲＱサブバーストを、確実に送信することができる。
【００７３】
また、本実施の形態に係る基地局１は、２列目のスロットを、１列目のスロットに含まれるサブチャネルに隣接するサブチャネルにおいて、６つのシンボルのシンボルと同一のシンボルに確保する。一般的に、互いに隣接するサブチャネルでは、それぞれのサブチャネルに対応する位相回転量には、互いに大きな差異がない。そのため、２列目のスロットについて、わざわざ、位相回転量θを検出したり、トータルの位相回転量と所定のしきい値βとを比較したりしなくても、１列目のスロット同様に、２列目のスロットを通信端末２にほぼ受信させることができる。
【００７４】
また、一般に、データ量が大きいデータを、周波数選択性フェージングの影響が大きいサブキャリアに配置すると、データ量が小さいデータに比べて、誤りデータ量が大きくなる。それに対し、本実施の形態に係る基地局１は、所定のデータ量Ｘを超える第１のＨＡＲＱサブバーストが含められる第１のＨＡＲＱサブバースト領域５８ａを、周波数選択性フェージングが所定のαよりも小さいと判定された良好サブキャリア８６に配置する。これにより、誤りデータ量が大きい傾向にある、データ量の大きい第１のＨＡＲＱサブバーストの誤りデータ量を低減させることができる。
【００７５】
また、本実施の形態に係る基地局１は、所定のデータ量Ｘ以下の第２のＨＡＲＱサブバーストが含められる第２のＨＡＲＱサブバースト領域５８ｂを、良好サブキャリア８６を含むようにＨＡＲＱバースト領域５７内に配置する。これにより、誤りデータ量が小さい傾向にある、データ量の小さい第２のＨＡＲＱサブバーストの誤りデータ量についても低減させることができる。
【００７６】
また、本実施の形態に係る基地局１は、所定のデータ量Ｘ以下の第２のＨＡＲＱサブバーストが含められる第２のＨＡＲＱサブバースト領域５８ｂを、少なくとも第１のＨＡＲＱサブバースト領域５８ａに隣接させてＨＡＲＱバースト領域５７内に配置する。これにより、データ量の小さい第２のＨＡＲＱサブバーストは、良好サブキャリア８６を含むようにＨＡＲＱバースト領域５７内に配置されるか、良好サブキャリア８６に近い周波数選択性フェージングを有するサブキャリアに配置される。そのため、データ量の小さい第２のＨＡＲＱサブバーストの誤りデータ量についてもある程度低減させることができる。
【００７７】
なお、本実施の形態では、第２の配置部１７は、４番目のスロット５９は、１番目のスロット５９に隣接させて確保し、５番目のスロット５９、６番目のスロット５９を、４番目のスロット５９からシンボル方向に沿って右向きに確保した。しかし、これに限ったものではなく、本実施の形態に係る第２の配置部１７は、４番目のスロット５９を、３番目のスロット５９に隣接させて確保し、５番目のスロット５９、６番目のスロット５９を、４番目のスロット５９からシンボル方向に沿って左向きに確保することにより、２列目のスロット５９を確保してもよい。
【００７８】
また、以上の説明では、第２の配置部１７は、ＨＡＲＱサブバースト領域５８の１列目のスロット５９が、良好サブキャリア８６を含むように、第１のＨＡＲＱサブバースト領域５８をＨＡＲＱバースト領域５７に配置した。しかし、本実施の形態に係る第２の配置部１７は、これに限ったものではなく、１列目以外のスロット５９が、良好サブキャリア８６を含むように、第１のＨＡＲＱサブバースト領域５８をＨＡＲＱバースト領域５７に配置してもよい。
【００７９】
また、以上の説明では、第１の配置部１３は、１つの下りサブフレーム５１内に、図９に係るスロット確保手順でＨＡＲＱサブバースト領域５８が配置されるＨＡＲＱバースト領域５７を配置した。しかし、本実施の形態に係る第１の配置部１３は、これに限ったものではなく、図９に係る本実施の形態に係るスロット確保手順でＨＡＲＱサブバースト領域５８が配置されたＨＡＲＱバースト領域５７と、図８に係る従来のスロット確保手順でＨＡＲＱサブバースト領域５８が配置されたＨＡＲＱバースト領域５７とを、１つの下りサブフレーム５１内に並存させて配置してもよい。
【図面の簡単な説明】
【００８０】
【図１】実施の形態に係る無線通信システムの構成を示すブロック図である。
【図２】実施の形態に係る基地局が備える制御部の構成を示すブロック図である。
【図３】実施の形態に係る基地局が備える制御部の動作を示すフローチャートである。
【図４】モバイルＷｉＭＡＸでのフレーム構成例を示す図である。
【図５】実施の形態に係る基地局が備える制御部の動作を示す図である。
【図６】実施の形態に係る基地局が備える制御部の動作を示す図である。
【図７】実施の形態に係る基地局が備える制御部の動作を示す図である。
【図８】実施の形態に係る基地局が備える制御部の動作を示す図である。
【図９】従来のスロット確保動作を示す図である。
【図１０】実施の形態に係るスロット確保動作を示す図である。
【図１１】実施の形態に係る基地局が備える制御部の動作を示す図である。
【図１２】実施の形態に係る基地局が備える制御部の動作を示す図である。
【符号の説明】
【００８１】
１  基地局
２  通信端末
３  アダプティブアレイ
４  送信部
５  受信部
６  制御部
１１  ウェイト算出部
１３  第１の配置部
１５  推定部
１６  判定部
１７  第２の配置部
５１  下りサブフレーム
５７  ＨＡＲＱバースト領域
５８  ＨＡＲＱサブバースト領域
５８ａ  第１のＨＡＲＱサブバースト領域
５８ｂ  第２のＨＡＲＱサブバースト領域
５９  スロット
【図１】
2010130186.tif 000003
【図２】
2010130186.tif 000004
【図３】
2010130186.tif 000005
【図４】
2010130186.tif 000006
【図５】
2010130186.tif 000007
【図６】
2010130186.tif 000008
【図７】
2010130186.tif 000009
【図８】
2010130186.tif 000010
【図９】
2010130186.tif 000011
【図１０】
2010130186.tif 000012
【図１１】
2010130186.tif 000013
【図１２】
2010130186.tif 000014